(57)【要約】【課題】ホログラム層の光沢模様の自由度を確保しつつ再貼付時の真贋判定機能を備える改ざん防止シールを提供すること。【解決手段】対象物Ｂに貼付した後に剥離すると、剥離したことを使用者に認識させるように構成したことで改ざんの防止をする改ざん防止シール１であって、脆性を有する基材層１１と、基材層１１の下部に剥離材にて形成された剥離層１２と、基材層１１の下部で且つ剥離層１２を覆うように接着剤にて形成された接着層１３と、接着層１３の下部にホログラム箔にて形成されたホログラム層１４と、ホログラム層１４の下部に形成され対象物Ｂに粘着固定する粘着固定層１５と、を有することを特徴とする。【選択図】図１
2012093674.tif 000002
【特許請求の範囲】
【請求項１】
対象物に貼付した後に剥離すると、剥離したことを使用者に認識させるように構成したことで改ざんの防止をする改ざん防止シールであって、
脆性を有する基材層と、
前記基材層の下部に剥離材にて形成された剥離層と、
前記基材層の下部で且つ前記剥離層を覆うように接着剤にて形成された接着層と、
前記接着層の下部にホログラム箔にて形成されたホログラム層と、
前記ホログラム層の下部に形成され前記対象物に粘着固定する粘着固定層と、
を有することを特徴とする改ざん防止シール。
【請求項２】
対象物に貼付した後に剥離すると、剥離したことを使用者に認識させるように構成したことで改ざんの防止をする改ざん防止シールであって、
脆性を有する基材層と、
前記基材層の下部に剥離材にて形成された剥離層と、
前記基材層の下部で且つ前記剥離層を覆うように接着剤及び前記接着剤よりも粘着力の強い粘着剤にて形成された接着粘着層と、
前記接着粘着層の下部にホログラム箔にて形成されたホログラム層と、
前記ホログラム層の下部に形成され前記対象物に粘着固定する粘着固定層と、
を有することを特徴とする改ざん防止シール。
【発明の詳細な説明】
【技術分野】
【０００１】
本発明は、対象物に貼付された後に剥離させる場合に貼付前の状態に戻らないように構成された改ざん防止シールに関する。
【背景技術】
【０００２】
従来、改ざん防止シールは、模倣を行われないために様々な加工を施している。特に、模倣が困難となるように、脆い構造のホログラム箔を用いるものがあった（例えば、特許文献１参照）。
【０００３】
特許文献１では、シールの基材を被着体から剥がしたときに、基材に接着された状態となる接着部と、基材から剥離される剥離部とを有する場合において、ホログラム層と剥離層の総厚みを接着部と剥離部とで異なった断面形状にしておく。これにより、ホログラム層や剥離層が、接着部と剥離部との間で切断されやすく構成され、接着部と剥離部との間で容易に剥離することができる。
【先行技術文献】
【特許文献】
【０００４】
【特許文献１】特開２００５−１０６８５７
【発明の概要】
【発明が解決しようとする課題】
【０００５】
しかしながら、接着部と剥離部とで総厚みを異ならせると、ホログラム層の外観が接着部と剥離部とで異なることになる。すると、接着部と剥離部との境界が明確に外観に出てしまうため、ホログラム層の光沢模様の自由度を損なってしまう。また、外観上、接着部と剥離部との境界を視認することができると模倣が容易となり、十分な真贋判定機能を持たせることが困難となる。
【０００６】
本発明では、ホログラム層の光沢模様の自由度を確保しつつ再貼付時の真贋判定機能を備える改ざん防止シールを提供することを目的とする。
【課題を解決するための手段】
【０００７】
上記目的を達成するための本発明の構成は、対象物に貼付した後に剥離すると、剥離したことを使用者に認識させるように構成したことで改ざんの防止をする改ざん防止シールであって、脆性を有する基材層と、前記基材層の下部に剥離材にて形成された剥離層と、前記基材層の下部で且つ前記剥離層を覆うように接着剤にて形成された接着層と、前記接着層の下部にホログラム箔にて形成されたホログラム層と、前記ホログラム層の下部に形成され前記対象物に粘着固定する粘着固定層と、を有することを特徴とする改ざん防止シールである。
【０００８】
また、対象物に貼付した後に剥離すると、剥離したことを使用者に認識させるように構成したことで改ざんの防止をする改ざん防止シールであって、脆性を有する基材層と、前記基材層の下部に剥離材にて形成された剥離層と、前記基材層の下部で且つ前記剥離層を覆うように接着剤及び前記接着剤よりも粘着力の強い粘着剤にて形成された接着粘着層と、前記接着粘着層の下部にホログラム箔にて形成されたホログラム層と、前記ホログラム層の下部に形成され前記対象物に粘着固定する粘着固定層と、を有することを特徴とする改ざん防止シールである。
【発明の効果】
【０００９】
上述のように、改ざん防止シールを、接着層又は接着粘着層と粘着剤層との間にホログラム箔を積層するように構成することで、ホログラム層の模様の自由度を確保することができる。また、シールの剥離動作前にホログラム層の接着部と剥離部との境界がわからないため、模倣が困難となり、シールに十分な真贋判定機能を持たせることができる。
【図面の簡単な説明】
【００１０】
【図１】本実施形態の改ざん防止シールの剥離前の状態を示す図。
【図２】本実施形態の改ざん防止シールの剥離時の状態を示す図。
【図３】本実施形態の改ざん防止シールの剥離後の状態を示す図。
【発明を実施するための形態】
【００１１】
〔改ざん防止シール１の構成〕
図を用いて本実施形態の構成を説明する。図１は本実施形態の改ざん防止シールの剥離前の状態を示す図であり、（ａ）が上面図で、（ｂ）がＡ−Ａ断面図である。
【００１２】
図１に示すように、改ざん防止シール１は、基材層１１と、剥離層１２と、接着層１３と、ホログラム層１４と、粘着固定層１５と、セパレータ１６とを有する。各層の厚みは、基材層１１が１０〜５００μｍ、剥離層１２が０．１〜５０μｍ、接着層１３が１〜１００μｍ、ホログラム層１４が０．１〜２０μｍ、粘着固定層１５が１〜１００μｍが好ましい。
【００１３】
基材層１１は、多層構造の改ざん防止シール１の基材となるものであって、脆性を有し且つホログラムの偏光が視認できる透明又は半透明で厚みが１〜３００μｍの材質にて構成される。脆性を有する材質としては、例えば、ＴＡＣ（トリアセテートフィルム）や溶剤に溶けやすいＯＰＳ（ポリスチレンフィルム）にて構成される。また、これに限るものではなく、アクリル、シクロオレフィン、ポリカーボネート、ＰＥＴ、ＯＰＰ、ＣＰであってもよい。
【００１４】
剥離層１２は、基材層１１の下部において模様や文字などのデザインが施された剥離材にて形成される。ここで、図１（ｂ）に示すように、改ざん防止シール１において、剥離層１２の下部が基材層１１から離間する剥離部２１となる。剥離部２１は後述するように剥離模様２１Ｍを形成する。剥離層１２のない部分は基材層１１から剥離しない非剥離部２２となる。尚、本実施形態においては部分的に剥離層１２を設けた例を挙げるが、これに限るものではない。例えば、基材層１１の下部全面に剥離層１２を設けてもよい。
【００１５】
接着層１３は、基材層１１の下部で且つ剥離層１２を覆うように紫外線硬化型や電子線硬化型、熱硬化型、２液反応型といった塗工初期に粘着性を有し有効な活性エネルギーを与える、又は経時変化により接着剤（固体）化する各種接着剤にて形成される。
【００１６】
ホログラム層１４は、接着層１３の下部にホログラム箔として形成される。このホログラム層は  コレステリック液晶からなる偏光性を有するものであってもよい。ホログラム箔には光沢のある文字や模様が施されているため、図１（ａ）に示すように剥離前の改ざん防止シール１を上面から見ると、基材層１１を透してホログラム箔が見える。
【００１７】
粘着固定層１５は、ホログラム層１４の下部に形成される。粘着固定層１５があることにより改ざん防止シール１は対象物に粘着固定することができる。尚、粘着固定層１５は離型層としてのセパレータ１６から剥がされた後に対象物に粘着固定される。
【００１８】
また、ホログラム層１４は、中間体としてのホログラム箔を接着層１３と粘着固定層１５との間に転移して形成する。
【００１９】
〔改ざん防止シール１の使用状態〕
図２は本実施形態の改ざん防止シールの剥離時の状態を示す図であり、（ａ）が剥離中の斜視図で、（ｂ）が剥離直後の模様を示す上面図である。図３は本実施形態の改ざん防止シールの剥離後の状態を示す図であり、（ａ）が本実施形態の断面図で、（ｂ）が変形例の断面図である。
【００２０】
図２（ａ）に示すように、いったん対象物Ｂに貼付された改ざん防止シール１を剥がすと、基材層１１を有する基材側シート１ａと剥離部２１によって形成される剥離模様２１Ｍとが分離する。具体的に説明すると、図３（ａ）に示すように、剥離部２１においては、剥離層１２から接着層１３が剥離し剥離模様２１Ｍが対象物Ｂに残る。一方、非剥離部２２においてはホログラム層１４及び粘着固定層１５ごと基材側シート１ａ側に持って行かれる。これは、接着層１３の基材層１１に対する接着力は粘着固定層１５の対象物Ｂに対する粘着力よりも強いためである。
【００２１】
図２（ｂ）に示すように、改ざん防止シール１を対象物Ｂから全て剥がすと、基材側シート１ａのうち剥離部２１のあった部分はホログラム層１４が対象物Ｂに剥離模様２１Ｍとして残っている。尚、基材側シート１の非剥離部２２にはホログラム層１４が残るものの、剥離前に比べホログラムが劣化している。
【００２２】
このように、対象物に貼付した後に剥離すると、剥離模様２１Ｍが残っていることによって、剥離したことを使用者に認識させることができる。
【００２３】
以上の構成により、次のような効果がある。
【００２４】
基材層１１が脆性を有するため、シールを剥離したときに基材層１１の表面状態が崩れるため、いったんシールを剥離するとシール表面が元の状態には戻らない。このため、いったんシールを剥離させて再貼付した場合であっても、基材層１１の表面状態が崩れているため、復元することはできない。このため、再貼付したことを容易に視認することができる。
【００２５】
いったんシールを剥離すると、光沢は残るもののホログラム層１４は剥離部２１と剥離部２２により分断されている。このため、たとえ剥がした基材側シート１ａを元の対象物Ｂに戻したとしても、分断された箇所は容易に視認でき、剥がした痕跡が明確となる。このため、高い改ざん防止機能を発揮することができる。
【００２６】
また、接着層１３が剥離層１２を覆い、ホログラム層１４は接着層１３と粘着固定層１５との間に形成される。このため、剥離層１２の形状がいかなるものであっても、ホログラム層１４は平坦なものを用いることができる。このため、ホログラム層１４に他の層の形状に規制された凹凸模様を予め施す必要がなく、ホログラム層１４の模様の自由度を損なうことがない。
【００２７】
また、平坦なホログラム層１４を用いることで、剥離部２１と非剥離部２２との境界が剥離前に外観に出ることはない。すると、外観上、剥離部２１と非剥離部２２との境界を視認することができないため、改ざん防止シールの模倣が困難となる。
【００２８】
以上のように、本実施形態によれば、いったん基材側シート１ａを剥離すると脆い基材層１１及びホログラム層１４の形状が壊れるため、再貼付をした場合にはホログラム層１４の当初の綺麗な光沢模様をみることができない。このため、再貼付時の真贋判定機能を備える改ざん防止シールを提供することができる。更に、ホログラム層１４は平坦なものを用いることができるため、ホログラム層１４の光沢模様の自由度を確保することができる。
【００２９】
本実施形態においては、改ざん防止シール１を接着層１３を有するものとしたが、これに限るものではない。例えば、図３（ｂ）に示すように、基材層１１の下部で且つ剥離層１２を覆うように接着剤及びこの接着剤よりも粘着力の強い粘着剤にて形成された接着粘着層１３Ａを有する改ざん防止シール２としてもよい。この場合、基材側シート２ａを剥離すると、接着粘着層１３Ａがその粘着剤の粘着力により、基材層１１から剥離層１２をも剥離させる。この場合、剥離模様２１Ｍの表面が剥離層１２の一部となる。
【産業上の利用可能性】
【００３０】
本発明は、対象物に貼付された後に剥離させる場合に貼付前の状態に戻らないように構成された改ざん防止シールに利用することができる。
【符号の説明】
【００３１】
Ｂ…対象物
１…改ざん防止シール
１ａ…基材側シート
２…改ざん防止シール
２ａ…基材側シート
１１…基材層
１２…剥離層
１３…接着層
１３Ａ…接着粘着層
１４…ホログラム層
１５…粘着固定層
１６…セパレータ
２１…剥離部
２１Ｍ…剥離模様
２２…非剥離部
【図１】
2012093674.tif 000003
【図２】
2012093674.tif 000004
【図３】
2012093674.tif 000005